(57)【要約】【課題】ユーザに待ち時間を発生させることなく印刷物の混在や情報セキュリティの問題を解決し、且つユーザの利便性を高めること。【解決手段】クライアント端末２から受信した印刷ジョブを、クライアント端末２のＭＡＣアドレスと関連付けて記憶媒体に記憶させ、印刷ジョブの送信元であるクライアント端末から受信した情報に基づき、クライアント端末２と画像処理装置１との距離を計算し、計算された距離が所定の閾値以下であるクライアント端末のＭＡＣアドレスに関連付けられている印刷ジョブに基づいて印刷出力を実行することを特徴とする。【選択図】図６
2016177361.tif 000002
【特許請求の範囲】
【請求項１】
情報処理端末からの印刷出力命令を受けて印刷出力を実行する画像処理装置及び前記画像処理装置との間で無線通信を行い、前記画像処理装置に対して印刷出力命令を送信する情報処理端末を含む画像処理システムであって、
前記画像処理装置は、
前記情報処理端末から受信した印刷出力命令を、送信元の前記情報処理端末を識別する識別子と関連付けて記憶媒体に記憶させる出力命令管理部と、
前記印刷出力命令の送信元である前記情報処理端末から受信した情報に基づき、前記情報処理端末と前記画像処理装置との距離を計算する距離計算部と、
計算された前記距離が所定の閾値以下である前記情報処理端末の識別子に関連付けられている印刷出力命令に基づいて印刷出力を実行する命令実行部とを含むことを特徴とする画像処理システム。
【請求項２】
前記情報処理端末は、前記画像処理装置との間での無線通信によって得られる情報に基づき、前記情報処理端末の存在位置における前記画像処理装置が発信する電波の電波密度を計算する電波密度計算部を含み、
前記距離計算部は、前記情報処理端末から取得した前記電波密度の計算結果に基づいて前記情報処理端末との距離を計算することを特徴とする請求項１に記載の画像処理システム。
【請求項３】
前記距離計算部は、前記記憶媒体に記憶されている印刷出力命令の送信元であるすべての情報処理端末について、前記画像処理装置との距離を計算し、
前記命令実行部は、計算された前記距離が所定の閾値以下である前記情報処理端末が複数ある場合、計算された前記距離が短い順に、識別子に関連付けられている印刷出力命令に基づいて印刷出力を実行することを特徴とする請求項１または２に記載の画像処理システム。
【請求項４】
前記命令実行部は、計算された前記距離が所定の閾値以下である前記情報処理端末であって、且つ複数の前記距離の計算結果に基づいて前記画像処理装置に近づいていることが確認された情報処理端末の識別子に関連付けられている印刷出力命令に基づいて印刷出力を実行することを特徴とする請求項１乃至３いずれか１項に記載の画像処理システム。
【請求項５】
前記所定の閾値は、前記記憶媒体に記憶された印刷出力命令の内容に応じて、異なる情報処理端末毎に異なることを特徴とする請求項１乃至４いずれか１項に記載の画像処理システム。
【請求項６】
無線通信によって接続された情報処理端末から受信した印刷出力命令に基づいて印刷出力を実行する画像処理装置であって、
前記情報処理端末から受信した印刷出力命令を、送信元の前記情報処理端末を識別する識別子と関連付けて記憶媒体に記憶させる出力命令管理部と、
前記印刷出力命令の送信元である前記情報処理端末から受信した情報に基づき、前記情報処理端末と前記画像処理装置との距離を計算する距離計算部と、
計算された前記距離が所定の閾値以下である前記情報処理端末の識別子に関連付けられている印刷出力命令に基づいて印刷出力を実行する命令実行部とを含むことを特徴とする画像処理装置。
【請求項７】
情報処理端末からの印刷出力命令を受けて印刷出力を実行する画像処理装置及び前記画像処理装置との間で無線通信を行い、前記画像処理装置に対して印刷出力命令を送信する情報処理端末を含む画像処理システムにおける前記画像処理装置の制御方法であって、
前記情報処理端末から受信した印刷出力命令を、送信元の前記情報処理端末を識別する識別子と関連付けて記憶媒体に記憶させ、
前記印刷出力命令の送信元である前記情報処理端末から受信した情報に基づき、前記情報処理端末と前記画像処理装置との距離を計算し、
計算された前記距離が所定の閾値以下である前記情報処理端末の識別子に関連付けられている印刷出力命令に基づいて印刷出力を実行することを特徴とする画像処理装置の制御方法。
【発明の詳細な説明】
【技術分野】
【０００１】
本発明は、画像処理システム、画像処理装置及び画像処理装置の制御方法に関する。
【背景技術】
【０００２】
近年、情報の電子化が推進される傾向にあり、電子化された情報の出力に用いられるプリンタやファクシミリ及び書類の電子化に用いるスキャナ等の画像処理装置は欠かせない機器となっている。このような画像処理装置は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）として構成されることが多い。
【０００３】
このような画像処理装置においては、ＰＣ（Ｐｅｒｓｏｎａｌ  Ｃｏｍｐｕｔｅｒ）等の情報処理装置から画像情報を含む印刷出力の命令（以降、「印刷ジョブ」とする）を受信し、受信した画像情報に基づいて印刷出力を実行する。このような印刷出力の態様において、異なるユーザによって送信された印刷ジョブの印刷物が混ざってしまう状態を避けることや、印刷物の情報セキュリティを高めることが求められている。
【０００４】
そのような要請に対して、画像処理装置側で受信した印刷ジョブを蓄積し、ユーザが画像処理装置を操作することによってジョブを実行する方法が用いられる場合がある。この場合、印刷物はユーザが画像処理装置を操作して初めて出力されるため、上述した目的が達成される。
【０００５】
しかしながら、ユーザが画像処理装置を操作して初めて印刷ジョブが実行されるため、ユーザが印刷物を手にするまでに待ち時間が発生することとなる。この待ち時間は、印刷出力のページ数や、画像処理装置の省電力モード等によって更に長くなる。これに対して、ユーザが画像処理装置の位置に到着するタイミングを予測した上で、そのタイミングに合わせて印刷ジョブを実行する方法が提案されている（例えば、特許文献１参照）。
【発明の概要】
【発明が解決しようとする課題】
【０００６】
特許文献１においては、ユーザが情報処理装置を操作して印刷ジョブを送信した後、即座に画像処理装置の配置された位置に向かって印刷物を回収することが前提となっている。しかしながら、情報処理装置を操作して画像処理装置に印刷ジョブを送信したユーザが即座に印刷物の回収に向かうとは限らず、印刷ジョブ送信後、所定時間の経過後に印刷物を回収する場合もある。
【０００７】
このような場合、特許文献１に開示された方法であっても、出力された印刷物は画像処理装置の排紙トレイ上に放置されることとなり、上述した印刷物が混ざってしまう問題や、情報セキュリティの問題が解決されない。換言すると、特許文献１に開示された方法を用いる場合、ユーザは印刷ジョブを送信した後、即座に印刷物の回収に向かい必要があり、ユーザの利便性が損なわれる。
【０００８】
本発明は、このような課題を解決するためになされたものであり、ユーザに待ち時間を発生させることなく印刷物の混在や情報セキュリティの問題を解決し、且つユーザの利便性を高めることを目的とする。
【課題を解決するための手段】
【０００９】
上記課題を解決するために、本発明の一態様は、情報処理端末からの印刷出力命令を受けて印刷出力を実行する画像処理装置及び前記画像処理装置との間で無線通信を行い、前記画像処理装置に対して印刷出力命令を送信する情報処理端末を含む画像処理システムであって、前記画像処理装置は、前記情報処理端末から受信した印刷出力命令を、送信元の前記情報処理端末を識別する識別子と関連付けて記憶媒体に記憶させる出力命令管理部と、前記印刷出力命令の送信元である前記情報処理端末から受信した情報に基づき、前記情報処理端末と前記画像処理装置との距離を計算する距離計算部と、計算された前記距離が所定の閾値以下である前記情報処理端末の識別子に関連付けられている印刷出力命令に基づいて印刷出力を実行する命令実行部とを含むことを特徴とする。
【発明の効果】
【００１０】
本発明によれば、ユーザに待ち時間を発生させることなく印刷物の混在や情報セキュリティの問題を解決し、且つユーザの利便性を高めることができる。
【図面の簡単な説明】
【００１１】
【図１】本発明の実施形態に係る画像処理システムの運用形態を示す図である。
【図２】本発明の実施形態に係る情報処理装置のハードウェア構成を模式的に示すブロック図である。
【図３】本発明の実施形態に係る画像処理装置の機能構成を示すブロック図である。
【図４】本発明の実施形態に係る画像処理装置における印刷ジョブの実行管理機能の構成を示すブロック図である。
【図５】本発明の実施形態に係るクライアント端末の機能構成を示すブロック図である。
【図６】本発明の実施形態に係るシステム全体の動作を示すシーケンス図である。
【図７】本発明の実施形態に係るデバイスＤＢの情報を示す図である。
【図８】本発明の実施形態に係るジョブＤＢの情報を示す図である。
【図９】本発明の実施形態に係る電波密度の応答情報の例を示す図である。
【図１０】本発明の実施形態に係る画像処理装置の動作を示すフローチャートである。
【図１１】本発明の実施形態に係るシステムの動作原理を示す図である。
【図１２】本発明の実施形態に係るシステムの動作原理を示す図である。
【図１３】複数の印刷ジョブが入力される場合のジョブの入力順の例を示す図である。
【図１４】複数の印刷ジョブが入力される場合の出力順の例を示す図である。
【図１５】複数の印刷ジョブが入力される場合の出力順の例を示す図である。
【図１６】本発明の実施形態に係る画像処理装置の動作を示すフローチャートである。
【図１７】本発明の実施形態に係る閾値とＭＡＣアドレスとの関連付けテーブルを示す図である。
【発明を実施するための形態】
【００１２】
以下、図面を参照して、本発明の実施形態を詳細に説明する。図１は、本実施の形態に係る画像処理システムの運用形態の例を示す図である。図１に示すように、本実施形態に係る画像処理システムは、画像処理装置１及びクライアント端末２が直接無線接続されて構成される。
【００１３】
画像処理装置１は、撮像機能、画像形成機能及び通信機能等を備えることにより、プリンタ、ファクシミリ、スキャナ、複写機として利用可能なＭＦＰ（Ｍｕｌｔｉ  Ｆｕｎｃｔｉｏｎ  Ｐｅｒｉｐｈｅｒａｌ：複合機）である。また、本実施形態に係る画像処理装置１は、無線ＬＡＮ（Ｌｏｃａｌ  Ａｒｅａ  Ｎｅｔｗｏｒｋ）アクセスポイントとしての機能を有し、クライアント端末２は、画像処理装置１によって提供される無線ＬＡＮアクセスポイントに接続する。
【００１４】
クライアント端末２は、本実施形態に係る画像処理システムを利用するユーザが携帯して使用する情報処理端末である。本実施形態に係る画像処理システムにおいては、クライアント端末２から画像処理装置１に送信された印刷出力命令（以降、「印刷ジョブ」とする）に基づいて画像処理装置１が印刷出力を実行する。
【００１５】
その際、画像処理装置１が、自身とクライアント端末２との距離を検知し、その検知結果に従って印刷ジョブを実行する。これにより、ユーザの利便性を保ったまま、印刷ジョブによって出力される印刷物が他の印刷物を混ざることや情報セキュリティを高めることが本実施形態に係る要旨の１つである。
【００１６】
次に、本実施形態に係る画像処理システムに含まれる夫々の機器である情報処理装置のハードウェア構成について説明する。図２は、本実施形態に係る情報処理装置のハードウェア構成を示すブロック図である。図２に示すように、本実施形態に係る情報処理装置は、一般的なサーバやＰＣ等と同様の構成を含む。
【００１７】
即ち、本実施形態に係る情報処理装置は、ＣＰＵ（Ｃｅｎｔｒａｌ  Ｐｒｏｃｅｓｓｉｎｇ  Ｕｎｉｔ）１０、ＲＡＭ（Ｒａｎｄｏｍ  Ａｃｃｅｓｓ  Ｍｅｍｏｒｙ）２０、ＲＯＭ（Ｒｅａｄ  Ｏｎｌｙ  Ｍｅｍｏｒｙ）３０、ＨＤＤ（Ｈａｒｄ  Ｄｉｓｋ  Ｄｒｉｖｅ）４０及びＩ／Ｆ５０がバス８０を介して接続されている。また、Ｉ／Ｆ５０にはＬＣＤ（Ｌｉｑｕｉｄ  Ｃｒｙｓｔａｌ  Ｄｉｓｐｌａｙ）６０及び操作部７０が接続されている。この他、画像処理装置１の場合、画像形成出力やスキャンを実行するエンジンが含まれる。
【００１８】
ＣＰＵ１０は演算手段であり、情報処理装置全体の動作を制御する。ＲＡＭ２０は、情報の高速な読み書きが可能な揮発性の記憶媒体であり、ＣＰＵ１０が情報を処理する際の作業領域として用いられる。ＲＯＭ３０は、読み出し専用の不揮発性記憶媒体であり、ファームウェア等のプログラムが格納されている。ＨＤＤ４０は、情報の読み書きが可能な不揮発性の記憶媒体であり、ＯＳ（Ｏｐｅｒａｔｉｎｇ  Ｓｙｓｔｅｍ）や各種の制御プログラム、アプリケーション・プログラム等が格納される。
【００１９】
Ｉ／Ｆ５０は、バス８０と各種のハードウェアやネットワーク等を接続し制御する。ＬＣＤ６０は、各種の情報を表示し、ユーザが情報処理装置の状態を確認するための視覚的ユーザインタフェースである。操作部７０は、キーボード、マウス、ハードボタンやタッチパネル等、ユーザが情報処理装置に情報を入力するためのユーザインタフェースである。
【００２０】
このようなハードウェア構成において、ＲＯＭ３０に格納されたプログラムや、ＨＤＤ４０若しくは図示しない光学ディスク等の記憶媒体からＲＡＭ２０に読み出されたプログラムに従ってＣＰＵ１０が演算を行うことによりソフトウェア制御部が構成される。このようにして構成されたソフトウェア制御部と、ハードウェアとの組み合わせによって、本実施形態に係るスキャン配信システムを構成する各機器の機能を実現する機能ブロックが構成される。
【００２１】
次に、本実施形態に係る画像処理装置１の機能について説明する。図３は、本実施形態に係る画像処理装置１の機能構成を示すブロック図である。図３に示すように、本実施形態に係る画像処理装置１は、コントローラ１００、ＡＤＦ（Ａｕｔｏ  Ｄｏｃｕｍｅｎｎｔ  Ｆｅｅｄｅｒ：原稿自動搬送装置）１１０、スキャナユニット１２０、排紙トレイ１３０、ディスプレイパネル１４０、給紙テーブル１５０、プリントエンジン１６０、排紙トレイ１７０、ネットワークＩ／Ｆ１８０及び近距離通信Ｉ／Ｆ１９０を有する。
【００２２】
また、コントローラ１００は、主制御部１０１、エンジン制御部１０２、入出力制御部１０３、画像処理部１０４及び操作表示制御部１０５を有する。図３に示すように、本実施形態に係る画像処理装置１は、スキャナユニット１２０、プリントエンジン１６０を有する複合機として構成されている。尚、図６においては、電気的接続を実線の矢印で示しており、用紙若しくは文書束の流れを破線の矢印で示している。
【００２３】
ディスプレイパネル１４０は、画像処理装置１の状態を視覚的に表示する出力インタフェースであると共に、タッチパネルとしてユーザが画像処理装置１を直接操作し若しくは画像処理装置１に対して情報を入力する際の入力インタフェース（操作部）でもある。ネットワークＩ／Ｆ１８０は、画像処理装置１がネットワークを介して管理者用端末等の他の機器と通信するためのインタフェースであり、Ｅｔｈｅｒｎｅｔ（登録商標）やＵＳＢインタフェースが用いられる。
【００２４】
近距離通信Ｉ／Ｆ１９０は、画像処理装置１が近距離無線通信により他の機器と通信するためのインタフェースであり、Ｂｌｕｅｔｏｏｔｈ（登録商標）、ＷｉＦｉ（Ｗｉｒｅｌｅｓｓ  Ｆｉｄｅｌｉｔｙ）等のインタフェースが用いられる。本実施形態においては、ＷｉＦｉインタフェースの場合を例として説明する。近距離通信Ｉ／Ｆ１９０は、クライアント端末２にネットワーク接続を提供するアクセスポイントとしての機能も含む。
【００２５】
コントローラ１００は、ソフトウェアとハードウェアとの組み合わせによって構成される。具体的には、各種のプログラムに従ってＣＰＵ１０が演算を行うことにより構成されるソフトウェア制御部と集積回路などのハードウェアとによってコントローラ１００が構成される。ＣＰＵ１０が演算を行うためのプログラムは、ＲＯＭ３０に格納されたものやＨＤＤ４０等の不揮発性記憶媒体からＲＡＭ２０にロードされたものが用いられる。コントローラ１００は、画像処理装置１全体を制御する制御部として機能する。
【００２６】
主制御部１０１は、コントローラ１００に含まれる各部を制御する役割を担い、コントローラ１００の各部に命令を与える。エンジン制御部１０２は、プリントエンジン１６０やスキャナユニット１２０等を制御若しくは駆動する駆動手段としての役割を担う。入出力制御部１０３は、ネットワークＩ／Ｆ１８０、近距離通信Ｉ／Ｆ１９０を介して入力される信号や命令を主制御部１０１に入力する。また、主制御部１０１は、入出力制御部１０３を制御し、ネットワークＩ／Ｆ１８０や近距離通信Ｉ／Ｆ１９０及びネットワークを介して他の装置にアクセスする。
【００２７】
画像処理部１０４は、主制御部１０１の制御に従い、印刷出力すべき画像情報に基づいて描画情報を生成する。この描画情報とは、画像形成部であるプリントエンジン１６０が画像形成動作において形成すべき画像を描画するための情報である。また、画像処理部１０４は、スキャナユニット１２０から入力される撮像データを処理し、画像データを生成する。この画像データとは、スキャナ動作の結果物として画像処理装置１に格納され若しくはネットワークＩ／Ｆ１８０や近距離通信Ｉ／Ｆ１９０を介して他の機器に送信される情報である。操作表示制御部１０５は、ディスプレイパネル１４０に情報表示を行い若しくはディスプレイパネル１４０を介して入力された情報を主制御部１０１に通知する。
【００２８】
画像処理装置１がプリンタとして動作する場合は、まず、入出力制御部１０３がネットワークＩ／Ｆ１８０若しくは近距離通信Ｉ／Ｆ１９０を介して印刷ジョブを受信する。入出力制御部１０３は、受信した印刷ジョブを主制御部１０１に転送する。主制御部１０１は、受信した印刷ジョブの実行を開始すると、まず画像処理部１０４を制御して印刷ジョブに含まれる文書情報若しくは画像情報に基づいて描画情報を生成する。
【００２９】
画像処理部１０４によって描画情報が生成されると、エンジン制御部１０２は、生成された描画情報に基づき、給紙テーブル１５０から搬送される用紙に対して画像形成を実行する。プリントエンジン１６０の具体的態様としては、インクジェット方式による画像形成機構や電子写真方式による画像形成機構等を用いることが可能である。プリントエンジン１６０によって画像形成が施された文書は排紙トレイ１７０に排紙される。
【００３０】
画像処理装置１がスキャナとして動作する場合は、ユーザによるディスプレイパネル１４０の操作若しくは外部の機器から入力されるスキャン実行指示に応じて、操作表示制御部１０５若しくは入出力制御部１０３が主制御部１０１にスキャン実行信号を転送する。主制御部１０１は、受信したスキャン実行信号に基づき、エンジン制御部１０２を制御する。エンジン制御部１０２は、ＡＤＦ１１０を駆動し、ＡＤＦ１１０にセットされた撮像対象原稿をスキャナユニット１２０に搬送する。
【００３１】
また、エンジン制御部１０２は、スキャナユニット１２０を駆動し、ＡＤＦ１１０から搬送される原稿を撮像する。また、ＡＤＦ１１０に原稿がセットされておらず、スキャナユニット１２０に直接原稿がセットされた場合、スキャナユニット１２０は、エンジン制御部１０２の制御に従い、セットされた原稿を撮像する。即ち、スキャナユニット１２０が撮像部として動作する。
【００３２】
撮像動作においては、スキャナユニット１２０に含まれるＣＣＤ等の撮像素子が原稿を光学的に走査し、光学情報に基づいた撮像情報が生成される。エンジン制御部１０２は、スキャナユニット１２０が生成した撮像情報を画像処理部１０４に転送する。画像処理部１０４は、主制御部１０１の制御に従い、エンジン制御部１０２から受信した撮像情報に基づき画像情報を生成する。
【００３３】
画像処理部１０４が生成した画像情報はＨＤＤ４０等の画像処理装置１に装着された記憶媒体に保存される。画像処理部１０４によって生成された画像情報は、ユーザの指示に応じてそのままＨＤＤ４０等に格納され若しくはネットワークＩ／Ｆ１８０、近距離通信Ｉ／Ｆ１９０を介して、入出力制御部１０３により外部の装置に送信される。
【００３４】
また、画像処理装置１が複写機として動作する場合は、エンジン制御部１０２がスキャナユニット１２０から受信した撮像情報若しくは画像処理部１０４が生成した画像情報に基づき、画像処理部１０４が描画情報を生成する。その描画情報に基づいてプリンタ動作の場合と同様に、エンジン制御部１０２がプリントエンジン１６０を駆動する。
【００３５】
次に、本実施形態に係る主制御部１０１の機能のうち、印刷ジョブの受信及び印刷ジョブの実行判断に係る機能について図４を参照して説明する。図４に示すように、本実施形態に係る主制御部１０１は、入出力部１１１、デバイス管理部１１２、デバイスＤＢ１１３、ジョブ管理部１１４、ジョブＤＢ１１５、距離計算部１１６及び距離判断部１１７を含む。
【００３６】
入出力部１１１は、主制御部１０１に入力される情報や主制御部１０１が出力する情報を処理する。デバイス管理部１１２は、画像処理装置１が提供するアクセスポイント機能を利用して画像処理装置１との間で無線通信を確立したクライアント端末２についての情報を管理する。デバイスＤＢ１１３は、画像処理装置１との間で無線通信を確立したクライアント端末２についての情報を記憶しているデータベースである。
【００３７】
ジョブ管理部１１４は、画像処理装置１との間で無線通信を確立したクライアント端末２から受信した印刷ジョブを管理する。ジョブＤＢ１１５は、画像処理装置１において受信された印刷ジョブやその管理情報を記憶しているデータベースである。
【００３８】
距離計算部１１６は、画像処理装置１からクライアント端末２に対して送信される電波密度要求に対するクライアント端末２からの応答に基づき、画像処理装置１とクライアント端末２との距離を計算する。距離判断部１１７は、距離計算部１１６によって計算された距離が、所定の閾値以内であるか否かを判断する。
【００３９】
このような構成により、本実施形態に係る画像処理装置１は、無線通信を確立したクライアント端末２から受信したジョブを一時的に蓄積し、そのクライアント端末２が画像処理装置１を中心とした所定の範囲内に入った場合に印刷ジョブを実行する。これにより、印刷ジョブが実行されることによって出力された印刷物が長時間放置され、他の印刷物と混ざってしまう場合や、情報セキュリティが低下してしまうことを防ぐことが本実施形態に係る要旨の１つである。
【００４０】
次に、本実施形態に係るクライアント端末２の機能構成について、図５を参照して説明する。図５に示すように、本実施形態に係るクライアント端末２は、図２において説明したＬＣＤ６０、操作部７０に加えて、コントローラ２００、ネットワークＩ／Ｆ２１０及び近距離通信Ｉ／Ｆ２２０を含む。また、コントローラ２００は、ネットワーク制御部２０１、操作制御部２０２、表示制御部２０３、近距離通信制御部２０４、クライアントアプリケーション２０５及び電波密度計算部２０６を含む。
【００４１】
ネットワークＩ／Ｆ２１０は、クライアント端末２がネットワークを介して他の機器と通信するためのインタフェースであり、Ｅｔｈｅｒｎｅｔ（登録商標）等のインタフェースが用いられる。近距離通信Ｉ／Ｆ２２０は、クライアント端末２が近距離無線通信により他の機器と通信するためのインタフェースであり、Ｂｌｕｅｔｏｏｔｈ（登録商標）、ＷｉＦｉ（Ｗｉｒｅｌｅｓｓ  Ｆｉｄｅｌｉｔｙ）等のインタフェースが用いられる。ネットワークＩ／Ｆ２１０、近距離通信Ｉ／Ｆ２２０は、図２に示すＩ／Ｆ５０によって実現される。
【００４２】
コントローラ２００は、ソフトウェアとハードウェアとの組み合わせによって構成される。コントローラ２００は、クライアント端末２全体を制御する制御部である。ネットワーク制御部２０１は、ネットワークＩ／Ｆ２１０を介して入力される情報を取得すると共に、ネットワークＩ／Ｆ２１０を介して他の機器に情報を送信する。近距離通信制御部２０４は、近距離通信Ｉ／Ｆ２２０を介して入力される情報を取得すると共に、近距離通信Ｉ／Ｆ２２０を介して他の機器に情報を送信する。
【００４３】
操作制御部２０２は、操作部７０に対するユーザによる操作内容の信号を取得し、クライアントアプリケーション２０５等のクライアント端末２において動作するモジュールに入力する。表示制御部２０３は、クライアントアプリケーション２０５のＧＵＩ（Ｇｒａｐｈｉｃａｌ  Ｕｓｅｒ  Ｉｎｔｅｒｆａｃｅ）等、クライアント端末２の状態をＬＣＤ６０に表示させる。
【００４４】
クライアントアプリケーション２０５は、クライアント端末２において各種の機能を提供するソフトウェアモジュールであり、夫々の機能に対応したソフトウェア・プログラムによって構成される。クライアントアプリケーション２０５には、近距離無線通信を介して画像処理装置１に対して印刷ジョブを送信する機能を提供するソフトウェアモジュールが含まれる。
【００４５】
電波密度計算部２０６は、クライアント端末２において画像処理装置１から受信した情報に基づき、画像処理装置１によって提供されているＷｉＦｉネットワークの電波密度を計算する。このようにクライアント端末２において計算された電波密度が上述した電波密度要求に対する応答として画像処理装置１に送信され、画像処理装置１においてクライアント端末２との距離が計算される。
【００４６】
次に、本実施形態に係る画像処理システムの全体動作について図６を参照して説明する。図６に示すように、本実施形態に係る画像処理システムの動作においては、まずはクライアント端末２が画像処理装置１との間で通信を確立する（Ｓ６０１）。Ｓ６０１において、クライアント端末２は、画像処理装置１のアクセスポイントとしての機能によって提供されているＷｉＦｉのＳＳＩＤ（Ｓｅｒｖｉｃｅ  Ｓｅｔ  ＩＤ）をユーザに操作に応じて選択して接続する。その際、ユーザはクライアント端末２を操作してＳＳＩＤに接続されるためのセキュリティキー等の必要な情報を入力する。
【００４７】
画像処理装置１がアクセスポイントとして提供するＷｉＦｉネットワークにクライアント端末２が接続すると、ＷｉＦｉネットワークに接続したクライアント端末２の情報を入出力制御部１０３が主制御部１０１に送信する。これにより、主制御部１０１においては、デバイス管理部１１２が入出力部１１１から情報を受け取り、デバイスＤＢ１１３に情報を登録する。
【００４８】
図７は、デバイスＤＢ１１３に記憶されている情報の例を示す図である。図７に示すように、デバイスＤＢ１１３は、クライアント端末２を一意に識別する識別子である“ＭＡＣアドレス”と、Ｓ６０１において通信が確立された際にクライアント端末２が取得した“ＩＰアドレス”とを関連付けて記憶している。
【００４９】
尚、本実施形態においては、クライアント端末２を識別するための識別子としてＭＡＣアドレスを用いている。ＭＡＣアドレスはＷｉＦｉネットワークにおいてやり取りされる情報のヘッダ情報から取得可能であるため容易に実現可能であるが、これは一例であり他の識別子を用いても良い。
【００５０】
同一のクライアント端末２であっても、画像処理装置１との間で無線通信を確立する度に異なるＩＰアドレスを取得する。従って、図７に示す情報は、クライアント端末２が画像処理装置１との間で無線通信を確立する度に、取得されたＩＰアドレスによって更新される。
【００５１】
画像処理装置１との間に無線通信を確立したクライアント端末２は、ユーザの操作に応じて、画像処理装置１に対して印刷ジョブを送信する（Ｓ６０３）。Ｓ６０３においては、クライアントアプリケーション２０５が近距離通信制御部２０４を制御することによって印刷ジョブを送信させる。
【００５２】
クライアント端末２から印刷ジョブを受信した画像処理装置１においては、主制御部１０１が入出力制御部１０３から印刷ジョブの情報を取得する。そして、ジョブ管理部１１４が入出力部１１１から印刷ジョブの情報を取得し、ジョブＤＢ１１５に印刷ジョブを蓄積する（Ｓ６０４）。即ち、Ｓ６０４においては、ジョブ管理部１１４が出力命令管理部として機能する。
【００５３】
図８は、ジョブＤＢ１１５に記憶されている情報の例を示す図である。図８に示すように、ジョブＤＢ１１５は、印刷ジョブを識別する“印刷ジョブＩＤ”を、上述した“ＭＡＣアドレス”と関連付けて記憶している。図８に示す情報の他、ジョブＤＢ１１５は、夫々のジョブＩＤに対応する印刷ジョブの情報を記憶している。このように印刷ジョブの情報が蓄積されると、画像処理装置１は、蓄積された印刷ジョブの送り元のクライアント端末２に対して、電波密度を要求する（Ｓ６０５）。
【００５４】
Ｓ６０５においては、ジョブＤＢ１１５が、図８に示す情報を参照し、蓄積されている印刷ジョブに関連付けられている“ＭＡＣアドレス”を抽出してデバイス管理部１１２に通知する。ＭＡＣアドレスの通知を受けたデバイス管理部１１２は、デバイスＤＢ１１３を参照し、通知されたＭＡＣアドレスに関連付けられている“ＩＰアドレス”を宛先として、入出力部１１１に電波密度要求を送信させる。
【００５５】
電波密度要求を受けたクライアント端末２においては、近距離通信制御部２０４が画像処理装置１との間で確立されている無線通信の電波強度を検知し、その情報を電波密度計算部２０６に通知する。これにより、電波密度計算部２０６が電波密度を計算する（Ｓ６０６）。このような処理により、電波密度計算部２０６は、クライアント端末２の存在位置における、画像処理装置１が発信する電波の電波密度を計算することとなる。電波密度計算部２０６は、近距離通制御部２０４を制御し、上述したように計算した電波密度を送信する（Ｓ６０７）。
【００５６】
図９は、Ｓ６０７において送信される電波密度要求に対する応答に含まれる情報を示す図である。図９に示すように、電波密度要求に対する応答には、要求を受け付けて電波密度を計算したクライアント端末２の“ＭＡＣアドレス”及び算出された“電波密度”の情報が含まれる。
【００５７】
クライアント端末２から電波密度要求の応答として電波密度の情報を受信した画像処理装置１においては、受信した電波密度の情報に基づいて画像処理装置１とクライアント端末２との距離が所定の範囲内であるか否かを判断する（Ｓ６０８）。Ｓ６０８において、まずは距離計算部１１６が入出力部１１１から電波密度の情報を取得し、画像処理装置１とクライアント端末２との距離を計算する。
【００５８】
クライアント端末２の位置における電波密度ＳＬ、画像処理装置１とクライアント端末２との距離Ｌ、画像処理装置１が発した電波の強さＪ０の間には、以下の式（１）の関係が成り立つ。                                    
2016177361.tif 000003
【００５９】
従って、距離計算部１１６は、上記式（１）を画像処理装置１とクライアント端末２との距離Ｌについて解いた以下の式（２）の計算により、画像処理装置１とクライアント端末２との距離Ｌを求める。                                  
2016177361.tif 000004
【００６０】
距離判断部１１７は、このようにして算出された距離Ｌと、予め設定された閾値Ｌｔｈとを比較する。閾値Ｌｔｈは、画像処理装置１とクライアント端末２との距離に対する閾値である。本実施形態に係る画像処理システムにおいては、画像処理装置１に対して印刷ジョブを送信したクライアント端末２が、画像処理装置１を中心とした所定の範囲内に入ったことをトリガとして、その端末送信された印刷ジョブを実行する。この所定の範囲を判断するための閾値がＬｔｈである。
【００６１】
Ｓ６０８の判断によりクライアント端末２が画像処理装置１に対して閾値Ｌｔｈよりも近づいたことが確認されると、画像処理装置１は印刷ジョブを実行する（Ｓ６０９）。具体的には、Ｓ６０８の処理において、距離Ｌの計算結果が閾値Ｌｔｈ以下であることを確認した距離判断部１１７は、ジョブ管理部１１４に対象のクライアント端末２のＭＡＣアドレスを通知する。
【００６２】
ジョブ管理部１１４においては、距離判断部１１７から通知されたＭＡＣアドレスに基づいて図８に示す情報から“印刷ジョブＩＤ”を抽出し、対応する印刷ジョブの情報に基づいて図３において説明したように印刷ジョブを実行する。即ち、Ｓ６０９においては、ジョブ管理部１１４が命令実行部として機能する。このような処理により、本実施形態に係る画像処理システムの動作が完了する。
【００６３】
次に、画像処理装置１の詳細な動作について図１０を参照して説明する。図１０に示すように、クライアント端末２からの接続要求に応じて入出力制御部１０３が近距離通信Ｉ／Ｆ１９０を制御してクライアント端末２との間に接続を確立する（Ｓ１００１）。これにより、デバイス管理部１１２が入出力部１１１から情報を取得してデバイスＤＢ１１３にＭＡＣアドレス及びＩＰアドレスを登録する（Ｓ１００２）。
【００６４】
その後、画像処理装置１がクライアント端末２から印刷ジョブを受信すると（Ｓ１００３／ＹＥＳ）、入出力部１１１を介してジョブ管理部１１４が印刷ジョブを取得し、ジョブＤＢ１１５に印刷ジョブを登録する（Ｓ１００４）。Ｓ１００１〜Ｓ１００４の処理は、以降の処理の途中であっても、クライアント端末２からの無線通信の接続要求や、印刷ジョブの送信に応じて適宜実行される。
【００６５】
ジョブＤＢ１１５に印刷ジョブが登録されると、ジョブ管理部１１４及びデバイス管理部１１２の機能により、上述したように電波密度要求が実行される（Ｓ１００５）。Ｓ１００５においては、ジョブＤＢ１１５に印刷ジョブが登録されている全てのクライアント端末に対して電波密度要求が行われる。その結果、画像処理装置１は、Ｓ１００５の処理により、複数のクライアント端末２から電波密度要求の応答を受けることとなる。
【００６６】
電波密度要求の応答を受けると、距離計算部１１６が、夫々の応答に係るクライアント端末２と画像処理装置１との距離Ｌを計算する（Ｓ１００６）。距離判断部１１７は、そのようにして計算された距離Ｌと閾値Ｌｔｈとを比較する（Ｓ１００７）。その結果、距離Ｌが閾値Ｌｔｈ以下、即ち、対象のクライアント端末２が画像処理装置１から一定の距離内にあれば（Ｓ１００７／ＹＥＳ）、距離判断部１１７は、そのクライアント端末２のＭＡＣアドレスを、印刷ジョブの実行対象として保存する（Ｓ１００８）。
【００６７】
図１１は、本実施形態に係る印刷ジョブの実行判断を概念的に示す図である。図１１において点線で示す半径Ｌｔｈの範囲が、印刷ジョブの実行開始を判断する範囲（以降、「ジョブ実行範囲」とする）である。そして、図１１に示すように、クライアント端末２が半径Ｌｔｈの範囲に入ると、そのクライアント端末２によって送信された印刷ジョブが実行対象とされる。
【００６８】
距離計算部１１６は、Ｓ１００５の処理により電波密度要求の応答を受信したすべてのクライアント端末２に対してＳ１００６からの処理を繰り返す（Ｓ１００９／ＮＯ）。そして、全てのクライアント端末２について処理を完了すると（Ｓ１００９／ＹＥＳ）、距離判断部１１７は、Ｓ１００８の処理により保存したクライアント端末２のＭＡＣアドレスをジョブ管理部１１４に通知する（Ｓ１０１０）。Ｓ１０１０においては、ＭＡＣアドレスと共にＳ１００６において計算された距離Ｌも通知される。
【００６９】
ジョブ管理部１１４は、Ｓ１０１０の処理により印刷ジョブを実行する対象のＭＡＣアドレスを取得すると、画像処理装置１が現在印刷ジョブを実行中であるか否か、即ち、画像処理部１０４やプリントエンジン１６０が動作中であるか否か確認する（Ｓ１０１１）。その結果、印刷ジョブを実行中であれば（Ｓ１０１１／ＮＯ）、実行中の印刷ジョブが完了して、印刷ジョブの待機中になるまで処理を中断する。
【００７０】
そして、実行中であった印刷ジョブが完了し、次の印刷ジョブの待機状態となると（Ｓ１０１１／ＹＥＳ）、ジョブ管理部１１４は、Ｓ１００８の処理によりＭＡＣアドレスが保存されたクライアント端末２のうち、最も画像処理装置１に近接している端末を選択する（Ｓ１０１２）。Ｓ１０１２においてジョブ管理部１１４は、Ｓ１０１０においてＭＡＣアドレスと共に通知された距離Ｌが最も短いＭＡＣアドレスを選択する。
【００７１】
図１２は、Ｓ１０１２における処理を概念的に示す図である。ジョブ実行範囲に入ったクライアント端末２の印刷ジョブを実行する目的は、印刷ジョブが実行されて出力された印刷ジョブが排紙トレイ１７０に排紙された後、速やかにユーザに回収させることである。従って、図１２に示すように複数のクライアント端末２がジョブ実行範囲内に存在する場合、より早く画像処理装置１に到達するユーザが保持しているクライアント端末２から送信された印刷ジョブを優先的に実行することが望まれる。
【００７２】
そのため、図１２に示すように、ジョブ実行範囲内において、比較的遠いＬ２の位置にあるクライアント端末２よりも、比較的近いＬ１の位置にあるクライアント端末２の印刷ジョブが優先的に実行される。これにより、上述した目的をより好適に達成することが出来る。
【００７３】
最近接デバイスを選択したジョブ管理部１１４は、選択したＭＡＣアドレスに関連付けられている印刷ジョブをジョブＤＢ１１５から取得し、図３において説明したように印刷ジョブの実行制御を行う（Ｓ１０１３）。ジョブ管理部１１４は、Ｓ１０１０において通知されたＭＡＣアドレスの全てが完了するまで、距離Ｌの短いＭＡＣアドレスから順にＳ１０１２の処理を繰り返す（Ｓ１０１４／ＮＯ）。
【００７４】
そして、Ｓ１０１０において通知されたＭＡＣアドレスの全てについて印刷ジョブが完了すると（Ｓ１０１４／ＹＥＳ）、ジョブ管理部１１４はジョブＤＢ１１５に蓄積された印刷ジョブの有無を確認する（Ｓ１０１５）。まだジョブＤＢ１１５に印刷ジョブが蓄積されている場合（Ｓ１０１５／ＮＯ）、ジョブ管理部１１４は、Ｓ１００５からの処理を繰り返す。
【００７５】
他方、ジョブＤＢ１１５に蓄積されたジョブがなければ（Ｓ１０１５／ＹＥＳ）、処理を終了する。このような処理により、本実施形態に係る画像処理装置１による印刷ジョブの受信及び実行判断の動作が完了する。
【００７６】
以上、説明したように、本実施形態に係る画像処理システムにおいては、画像処理装置１が印刷ジョブを受信した後、印刷ジョブの送信元であるクライアント端末２が所定の範囲内に入ったことを印刷ジョブ実行のトリガとする。そのため、クライアント端末２を保持しているユーザが画像処理装置１に向かっていることを判断した上で印刷ジョブを実行することが出来る。
【００７７】
その結果、ユーザに待ち時間を発生させることなく印刷物の混在や情報セキュリティの問題を解決し、且つユーザの利便性を高めることが可能となる。特に、印刷ジョブの送信操作をした後、即座に印刷物の回収に向かわないユーザについても、印刷物の回収タイミングを適切に判断して印刷ジョブの実行制御を行うことが可能となる。
【００７８】
尚、図１０や図１２において説明したように、同時に複数のクライアント端末２がジョブ実行範囲内に入ったと判断される場合がある。その場合、図１２において説明したように、最近接のクライアント端末２から優先的に印刷ジョブを実行する。但し、それでも印刷物の回収タイミングによっては異なるクライアント端末２によって送信された印刷ジョブの印刷物が重なって排紙トレイ１７０に排紙されてしまう場合がある。
【００７９】
このような場合に対応するため、連続して実行される印刷ジョブであって、異なるクライアント端末２から送信された印刷ジョブ間には、印刷物の仕切りとなるバナーページを出力することが考えられる。このようなバナーページによって仕切りを行う態様であっても、本実施形態に係る印刷ジョブの実行判断を行うことにより、より好適な効果を得ることが可能である。そのような態様の詳細について以下に説明する。
【００８０】
図１３は、例としてユーザＡ、ユーザＢ夫々のクライアント端末２から連続して印刷ジョブが送信される場合の例を示す図である。図１３の例においては、まずユーザＡのクライアント端末２からジョブＡ−１が送信され、続いてユーザＢのクライアント端末２からジョブＢｇａ送信される。更に、その後ユーザＡのクライアント端末２からジョブＡ−２が送信される。
【００８１】
図１４は、印刷ジョブの受信順に印刷ジョブを実行し、異なるジョブ間にバナーページを挿入する場合の出力順を示す図である。図１４に示すように、受信順に印刷ジョブが実行される場合、「ジョブＡ−１」、「ジョブＢ」、「ジョブＡ−２」の順に印刷ジョブが実行され、夫々の間にバナーページが挿入されることとなる。
【００８２】
この場合、「ジョブＡ−１」、「ジョブＡ−２」は同一のユーザによって送信されたジョブであるが、間に「ジョブＢ」が挿入されることとなる。その結果、ユーザＡは、ジョブＡ−１、ジョブＡ−２夫々の印刷物を回収するため、間のジョブＢの印刷物を分ける必要がある。また、ユーザＡがジョブＢの存在に気付かない可能性もあり、ジョブＢの印刷物が誤ってユーザＡによって回収されてしまう。
【００８３】
図１５は、図１３の態様で画像処理装置１が受信した印刷ジョブを、本実施形態に係るシステムにより実行した場合の出力順を示す図である。図１５においては、先にユーザＡのクライアント端末２がジョブ実行範囲内に入り、その後ユーザＢのクライアント端末２がジョブ実行範囲内に入った場合を例としている。
【００８４】
この場合、図１５に示すようにユーザＡのクライアント端末２から送信された印刷ジョブである「ジョブＡ−１」、「ジョブＡ−２」が連続して実行され、その後バナーページが挿入された上で「ジョブＢ」が実行される。その結果、「ジョブＡ−１」、「ジョブＡ−２」は連続して実行され、間にジョブＢが挿入されることもなくなり、上述した問題を解決することが出来る。
【００８５】
このような態様は、図１０のＳ１０１２、Ｓ１０１３の処理において、選択された最近接端末のＭＡＣアドレスに関連付けられたすべての印刷ジョブを連続して実行制御すると共に、バナーページの挿入処理を行うことで実現可能である。バナーページの挿入処理において、ジョブ管理部１１４は、あるジョブの実行制御をする際、実行を待っている他の印刷ジョブの有無を判断する。そして、実行を待っている他の印刷ジョブがある場合、実行制御をする印刷ジョブの最後にバナーページを挿入するように制御する。
【００８６】
また、上記実施形態においては、図１０のＳ１００５〜Ｓ１０１０において、クライアント端末２と画像処理装置１との距離Ｌの算出結果が閾値Ｌｔｈ以下となったらジョブの実行対象として保存する場合を例として説明した。この他、例えばクライアント端末２が、ジョブ実行範囲内において画像処理装置１に近づいていることを判断しても良い。
【００８７】
図１６は、そのような判断を行う場合の図１０のＳ１００５〜Ｓ１０１０の処理を示すフローチャートである。図１６に示すように、Ｓ１００７とＳ１００８との間に所定の処理を追加することによって上述した機能が実現される。具体的には、対象のクライアント端末２が画像処理装置１から一定の距離内にある場合（Ｓ１００７／ＹＥＳ）、距離判断部１１７は、そのクライアント端末２について範囲内フラグがオンであるか否かを確認する（Ｓ１６０１）。
【００８８】
範囲内フラグとは、クライアント端末２がジョブ実行範囲内に入ったことが確認された場合に設定されるフラグである。範囲内フラグがオンでなければ（Ｓ１６０１／ＮＯ）、距離判断部１１７は、対象のクライアント端末２について範囲内フラグをオンに設定し（Ｓ１６０３）、印刷ジョブの実行対象として保存することなく次の処理に進む。
【００８９】
他方、範囲内フラグがオンであった場合（Ｓ１６０１／ＹＥＳ）、距離判断部１１７は、対象のクライアント端末２について、印刷ジョブの実行対象とするか否かを判断するため、対象のクライアント端末２が近づいているか否か確認する（Ｓ１６０２）。Ｓ１６０１において範囲内フラグがオンとなる場合とは、一度ジョブ実行範囲内であると判断されて範囲内フラグがオンとなったクライアント端末２が、再度の電波密度要求に応答した場合である。
【００９０】
そのような場合において、クライアント端末２が画像処理装置１に近づいていることが判断できれば、クライアント端末２を保持しているユーザが画像処理装置１に向かっていることをより確実に予測することが出来る。そのため、距離判断部１１７は、Ｓ１６０２において、例えばＳ１００６の処理により算出された距離Ｌが、範囲内フラグがオンに設定された際に算出された距離Ｌよりも短いか否か判断する。
【００９１】
そして、距離判断部１１７は、例えばＳ１００６の処理により算出された距離Ｌが、範囲内フラグがオンに設定された際に算出された距離Ｌよりも短ければ、対象のクライアント端末２が画像処理装置１に近づいていると判断する。
【００９２】
尚、Ｓ１６０２の他の態様としては、例えば閾値Ｌｔｈよりも更に狭い閾値Ｌｔｈ´を比較対象として、Ｓ１００６において算出された距離Ｌとの比較を行っても良い。そして、Ｓ１００６において算出された距離Ｌが閾値Ｌｔｈ´よりも短ければ、距離判断部１１７は、対象のクライアント端末２が画像処理装置１に近づいていると判断する。
【００９３】
Ｓ１６０２の判断の結果、対象のクライアント端末２が画像処理装置１に近づいていると判断した場合（Ｓ１６０２／ＹＥＳ）、距離判断部１１７は、Ｓ１００８の実行対象の保存処理を行う。他方、対象のクライアント端末２が画像処理装置１に近づいていないと判断した場合（Ｓ１６０２／ＮＯ）、距離判断部１１７は対象のクライアント端末２について印刷ジョブの実行対象として保存することなく次の処理に進む。
【００９４】
また、本実施形態に係る印刷ジョブの実行判断は、ユーザが画像処理装置１の設置位置に到着してから印刷物を回収可能となるまでのタイムラグを短縮することによるユーザの利便性の向上も趣旨の１つである。これに対して、ジョブ実行範囲内であるか否かの判断として、全てのジョブに共通の閾値Ｌｔｈを用いるのではなく、印刷ジョブの内容に応じて異なるクライアント端末２毎に閾値を変えても良い。
【００９５】
この場合、図１６のＳ６０４においてジョブＤＢ１１５に印刷ジョブを蓄積したジョブ管理部１１４は、印刷ジョブの内容に基づいてジョブの実行を開始してから印刷出力の完了までに要する時間を計算する。そして、その計算結果に応じた閾値を設定し、印刷ジョブの送信元であるクライアント端末２のＭＡＣアドレスと関連付けて図１７に示すようなテーブルを生成する。
【００９６】
距離判断部１１７は、図１７に示すようなテーブルを参照し、夫々のクライアント端末２に応じた閾値Ｌｔｈに基づいて、夫々のクライアント端末２がジョブ実行範囲内であるか否かを判断する。このような処理により、例えば印刷ジョブによって出力されるページ数が大量である場合に、ユーザが画像処理装置１の設置位置に到着してから印刷ジョブが完了するまでに相当の時間を要するような状態を回避することが出来る。
【符号の説明】
【００９７】
１  画像処理装置
２  クライアント端末
１０  ＣＰＵ
２０  ＲＡＭ
３０  ＲＯＭ
４０  ＨＤＤ
５０  Ｉ／Ｆ
６０  ＬＣＤ
７０  操作部
８０  バス
１００  コントローラ
１０１  主制御部
１０２  エンジン制御部
１０３  入出力制御部
１０４  画像処理部
１０５  操作表示制御部
１１０  ＡＤＦ
１１１  入出力部
１１２  デバイス管理部
１１３  デバイスＤＢ
１１４  ジョブ管理部
１１５  ジョブＤＢ
１１６  距離計算部
１１７  距離判断部
１２０  スキャナユニット
１３０  排紙トレイ
１４０  ディスプレイパネル
１５０  給紙テーブル
１６０  プリントエンジン
１７０  排紙トレイ
１８０  ネットワークＩ／Ｆ
１９０  近距離通信Ｉ／Ｆ
２００  コントローラ
２０１  ネットワーク制御部
２０２  操作制御部
２０３  表示制御部
２０４  近距離通信制御部
２０５  クライアントアプリケーション
２０６  電波密度計算部
２１０  ネットワークＩ／Ｆ
２２０  近距離通信Ｉ／Ｆ
【先行技術文献】
【特許文献】
【００９８】
【特許文献１】特開２００２−７７１７７号公報
【図１】
2016177361.tif 000005
【図２】
2016177361.tif 000006
【図３】
2016177361.tif 000007
【図４】
2016177361.tif 000008
【図５】
2016177361.tif 000009
【図６】
2016177361.tif 000010
【図７】
2016177361.tif 000011
【図８】
2016177361.tif 000012
【図９】
2016177361.tif 000013
【図１０】
2016177361.tif 000014
【図１１】
2016177361.tif 000015
【図１２】
2016177361.tif 000016
【図１３】
2016177361.tif 000017
【図１４】
2016177361.tif 000018
【図１５】
2016177361.tif 000019
【図１６】
2016177361.tif 000020
【図１７】
2016177361.tif 000021